(57)【要約】【課題】  防草シートの接続、固定部分での雑草の生育を回避し雑草を枯死させる防草構造を提供する。【解決手段】  従来の方法は、力で押さえつける方法であったが、ため、固定、接続などに不備があることを前提に、発芽した雑草の伸長方向を転換させ、防草シートの外に出させず、光合成を不可能にし、雑草を黄化させ、モヤシ化させ、貯蔵養分を枯渇させ枯死に到らせる。【選択図】  図２２
2009024348.tif 000002
【特許請求の範囲】
【請求項１】
防草目的で遮光性の高いシート状の物を敷設する際、シートを構造物（建物、舗装、擁壁、基礎、縁石、側溝、柱など）に固定する場合や、シートを接続して繋ぐ場合において、シートの端部を内側に折り曲げ、密着させ二重とし、その部分の下側だけを固定することにより、シート下で、シートを持ち上げながら任意の方向に伸長してくる雑草のうち、固定、接続した部分へ伸長してきた雑草を、この二重部分の内側に誘導し、折り目に突き当たらせ、方向転換させることで、雑草がシートの外部に伸長することを防止しシート下でモヤシ化させ枯死させる方法。
【請求項２】
シートを持ち上げながら伸長する雑草を、シートを弛ませたり、折り返し密着させ部分的に三重にして敷設することで、モヤシ化させるスペースを広くし、雑草がシートを持ち上げる圧力を軽減し、シートの固定や接続部分にかかる圧力を減少させ、シートの剥がれや破損を防止する方法。
【請求項３】
請求項１、２により、シートを内側に折り曲げ密着させ二重としたり、折り返し密着させ三重にして内側もしくは中側をピン、ビス、釘等で固定して敷設すること、または、シートの裏側に、固定用の補助部材を設けることにより、固定する部位を上側のシートによって覆い、傷口、固定部材を露出させず、雑草の発生を抑制する方法。
【請求項４】
素材、厚さ、形状によって、固定、接続することや、二重、三重にすることが困難なシートに、固定、接続することや、二重、三重にすることが容易なシートを接続することで、困難性を回避し、かつ、施工性、作業精度を高める方法。
【発明の詳細な説明】
【技術分野】
【０００１】
本発明は防草目的でシート状の物を構造物（建物、舗装、擁壁、基礎、縁石、側溝、柱など）に固定する場合や、シート状の物を接続して繋ぐ場合における固定、接続方法である。通常このシート状の物は防草シートとして使用されることが多いので今後は防草シート、もしくは、単にシートと呼ぶ。
【背景技術】
【０００２】
従来、防草シートを敷設し、端部を縁石などに接着し、時として、そこをコーキングする方法が採用され、また防草シートの接続部分も接着し、ピンなどで固定し、ピンの傷口をシールで覆う方法であった。
【０００３】
しかし、接着面においては作業精度のバラツキにより接着もれの箇所や、接着強度が弱い部分もあり、この部分から雑草が外部にでる事例が多い。また、構造物と構造物が接する隙間を接着テープで覆い防草する事例においても同様であった。
【発明の開示】
【発明が解決しようとする課題】
【０００４】
しかしながら、作業精度を上げることは、施工コストの増加を招き、また、作業精度を上げることには限界があり、結果として雑草の発生が生じる。
【０００５】
本発明は従来の欠点を解決するためになされたものであり、その目的とするところは、雑草の伸長方向を転換させ、雑草が外部に出ようとするのを防止し、シート下でモヤシ化させ、やがて枯死させる防草構造および、防草方法を提供することにある。
【課題を解決するための手段】
【０００６】
本発明に係る防草構造および、防草方法は、前記目的を達成するために、つぎの構成からなる。すなわち
請求項１に記載の発明に係る防草構造は、防草目的で遮光性の高いシート状の物を敷設する際、シートを構造物（建物、舗装、擁壁、基礎、縁石、側溝、柱など）に固定する場合や、シートを接続して繋ぐ場合において、シートの端部を内側に折り曲げ、密着させ二重とし、その部分の下側だけを固定することにより、シート下で、シートを持ち上げながら任意の方向に伸長してくる雑草のうち、固定、接続した部分へ伸長してきた雑草を、この二重部分の内側に誘導し、折り目に突き当たらせ、方向転換させることで、雑草がシートの外部に伸長することを防止しシート下でモヤシ化させ枯死させる方法である。
【０００７】
請求項２に記載の発明に係る防草構造は、シートを持ち上げながら伸長する雑草を、シートを弛ませたり、折り返し密着させ部分的に三重にして敷設することで、モヤシ化させるスペースを広くし、雑草がシートを持ち上げる圧力を軽減し、シートの固定や接続部分にかかる圧力を減少させ、シートの剥がれや破損を防止する方法である。
【０００８】
請求項３に記載の発明に係る防草構造は、請求項１、２により、シートを内側に折り曲げ密着させ二重としたり、折り返し密着させ三重にして内側もしくは中側をピン、ビス、釘等で固定して敷設すること、または、シートの裏側に、固定用の補助部材を設けることにより、固定する部位を上側のシートによって覆い、傷口、固定部材を露出させず、雑草の発生を抑制する方法である。
【０００９】
請求項４に記載の発明に係る防草構造は、素材、厚さ、形状によって、固定、接続することや、二重、三重にすることが困難なシートに、固定、接続することや、二重、三重にすることが容易なシートを接続することで、困難性を回避し、かつ、施工性、作業精度を高める方法である。
【発明の効果】
【００１０】
請求項１に記載の発明に係る防草構造は、防草シートを敷設する際、シートを構造物（建物、舗装、擁壁、基礎、縁石、側溝、柱など）に固定する場合、シートの端部を内側に折り曲げ密着させ二重とし（今後は外側シートの外側を外表、内側を外裏、内側シートの外側を内表、内側を内裏と呼ぶ。図１、図２。）、その部分の下側だけを固定することにより、シート下で、シートを持ち上げながら伸長してきた雑草は、この二重部分を広げながら、外裏と内裏の間に誘導される。
【００１１】
誘導された雑草は、折り目に突き当たり、ここで方向転換させられ、雑草はシートの外部に伸長することができず、シート下で光合成も不可能となり、貯蔵された養分も使い果たし、モヤシ化させられ、やがて枯死する。
【００１２】
また、シートを接続して繋ぐ場合においても、一方のシートの端部を内側に折り曲げ二重とし、その部分の下側を他方のシートの上側に固定することにより、シート下で、シートを持ち上げながら伸長してきた雑草は、この二重部分の外裏と内裏の間に誘導され、同様に、シート下でモヤシ化させられ、やがて枯死する。
【００１３】
請求項２に記載の発明に係る防草構造は、除草後にシートを敷設しても、蓄えられた養分で、シートを押し上げるようにして任意の方向へ伸長するが、特に宿根草が繁茂している場所では、その圧力はより強くなり、シートを固定している部分に集中し、シートを引き剥がそうとしたり、押し破ろうする。
【００１４】
このときシートを弛ませたり、折り返して敷設してあれば、シートに余裕が生じ、圧力が加わらず、引き剥がされることはない。
【００１５】
請求項３に記載の発明に係る防草構造は、請求項１、２により、固定する部位を上側のシートによって覆い、傷口、固定部材が露出させず、ここからの雑草の発生を抑制する方法である。
【００１６】
シートをピン、ビス、釘等で固定する際、シートに傷口が生じ、ここを通って雑草が外部に伸長する。また、ピン、ビス、釘等の固定部材の周囲には砂埃が溜まり易く（この砂埃には雑草の種子が含まれている場合が多い）、ここで発芽した雑草の根が傷口を通って地中に伸長する。
【００１７】
通常はこの固定部位を覆う方法が採用されているが、二重もしくは三重にした上側のシートにより固定部位が覆われることで、傷口からシート内部に入る光を遮断し、シート下で発芽、伸長する雑草の走光性を抑止して外部に伸長する事を防止する。また、傷口の直下で発芽し、傷口を通過した雑草も、上側のシートで外部に出ることができず、シート下で伸長するためモヤシ化されやがて枯死する。
【００１８】
また、固定部位がシートで覆われているため、砂埃が溜まることがなく、日光も遮断されるため、発芽、生育が困難となる。
【００１９】
二重もしくは三重にする箇所以外で固定する場合は、シートの裏側に、固定用の補助部材を設け固定することで傷口を生じさせない。また、固定部位がシートの下側に位置するため砂埃が溜まることもなくなる。
【００２０】
請求項４に記載の発明に係る防草構造は、素材、厚さ、形状によって、固定、接続することや、二重、三重にすることが困難なシートに、固定、接続することや、二重、三重にすることが容易なシートを接続することで、困難性を回避し、施工性、作業精度を高める方法である。
【００２１】
シートには防草効果のほかに、透水性の程度、強度、腐食性、耐光性などに関して、別途の要求が加わる。そのため異なる素材、厚さ、形状のシートが必要となることがあるが、折り曲げ、接着などが困難なシートも多い。
【００２２】
そこで、使用したいシートではあるが折り曲げ、接着などが困難なシートに、折り曲げ、接着などが容易な他の種類のシートを接続することで請求項１乃至３の効果を得ることが出来る。例えば折り曲げが困難なシートに折り曲げが容易な別のシートを接続することで、端部、もしくは、端部と接続部分だけが折り曲げが容易なシートであり、敷設される大部分が使用したいシートということが可能となる。
【発明を実施するための最良の形態】
【００２３】
以下、この発明に発明に係る防草構造、および、防草方法を実施するための最良の形態を図面に基づいて説明する。まず、請求項１に記載の発明に係る方法の最良の形態１であるが
【００２４】
図３は従来の方法で防草シート１を接着したところであり、一方を防草シートＡ１a、他方を防草シートＢ1bとし、その接点は極僅かな隙間、あるいは、隙間がない状態であるため、図４は便宜上、隙間を広げて示した概念図である。
【００２５】
防草シートＢ1b下で発芽した雑草６は、その進行方向にある継ぎ目から外部に伸長するには、継ぎ目で方向転換が必要であるが、通常は、方向転換せずそのまま伸長するため出口は無いが、防草シートＡ１a下で発芽し継ぎ目部分に伸長した雑草６は、接着ミスや、強度不足の部分から、図４で示したように外部に伸長する可能性がある。
【００２６】
一方、図５は防草シート１を内側に折り曲げて繋いだところであり、図６は便宜上、隙間を広げて示した概念図である。
【００２７】
防草シートＢ1b下で発芽した雑草６は、その伸長方向に出口は無いが、防草シートＡ１a下で発芽し継ぎ目部分に伸長した雑草６は防草シートＡ１aを押し上げながら伸長するため、図６で示したように、折り曲げた防草シートＡ１aの外裏３と内裏４の間に伸長して行き、図７で示したように、防草シートＡ１aの折り目に突き当たり、左右に方向転換させられ、外部に伸長することができない。
【００２８】
図８は縁石７に防草シート１を接着したところであり、その接点は極僅かな隙間、あるいは、隙間がない状態であるが、図９は便宜上、隙間を広げて示した概念図である。
【００２９】
防草シート１下で発芽し、防草シート１を押し上げながら接着部分に伸長した雑草６は、接着ミスや、強度不足の部分から、図９で示したように外部に伸長する可能性がある。
【００３０】
一方図１０は防草シート１を折り曲げ内側を縁石７に接着したところであり、図１１は、その接点は極僅かな隙間、あるいは、隙間がない状態であるが、図１１は便宜上、隙間を広げて示した概念図である。
【００３１】
防草シート１下で発芽した雑草６は防草シート１を押し上げながら伸長するため、図１１で示したように、折り曲げた防草シート１の外裏３と内裏４の間に伸長して行き、やがて防草シート１の折り目に突き当たり、左右に方向転換させられ、外部に伸長することができない。
【００３２】
図１２は地面９から構造物８が建ち上がっている部分に、防草シート１を敷設した場合であり、構造物８に接着されている。
【００３３】
防草シート１下で発芽した雑草６は防草シート１を押し上げながら伸長し、構造物８に突き当たり、接着ミスや、強度不足の部分から、図１３で示したように外部に伸長する可能性がある。
【００３４】
また、図１４で示したように、地中を伸長し、構造物８に突き当たり接着ミスや、強度不足の部分から、外部に伸長する可能性がある。
【００３５】
一方図１５は防草シート１を折り曲げ内側を構造物８に接着したところであり、接着面は、地面９と僅かに離してある。図１６は、その接点は極僅かな隙間、あるいは、隙間がない状態であるが、図１６は便宜上、隙間を広げて示した概念図である。
【００３６】
防草シート１下で発芽した雑草６は防草シート１を押し上げながら伸長するため、図１６で示したように、折り曲げた防草シート１の外裏３と内裏４の間に伸長して行き、防草シート１の折り目に突き当たり、左右に方向転換させられ、外部に伸長することができない。
【００３７】
また、地中を地下茎で伸長してきた雑草６は、構造物８に突き当たり、そこから発芽してくるが、接着面は、地面９と僅かに離してあるため、一時的に防草シート１と構造物８の間を通り、防草シート１の外裏３と内裏４の間に伸長していく。
【００３８】
図１７は、道路の中央分離帯などで見かける、コンクリート構造物Ａ８aとコンクリート構造物Ｂ８bとの間の隙間１０を被覆した状況を示したものである。接着ミスや、強度不足の部分から、図１８で示したように外部に伸長する可能性がある。
【００３９】
一方図１９は防草シート１の両端を折り曲げ、内側をコンクリート構造物８a、コンクリート構造物８bに接着したところであり、その接点は極僅かな隙間、あるいは、隙間がない状態であるが、図２０は便宜上、隙間を広げて示した概念図である。
【００４０】
隙間１０の部分は接着されておらず、雑草６は防草シート１を押し上げて伸長するが、防草シート１とコンクリート構造物８a、コンクリート構造物８bとの隙間、あるいは、防草シート１の外裏３と内裏４の間を伸長し、外部には殆ど伸長しない。
【００４１】
しかしながら、雑草６が多く、貯蔵養分も多い場合、押し上げられて生じた隙間のスペースが足りず、防草シート１を剥がして外部に伸長する場合もある。
【００４２】
そこで、図２１のように、コンクリート構造物Ａ８aとコンクリート構造物Ｂ８bとの間の隙間１０も隙間防草シート１１を接着することで、雑草６の多くが内外部１２に伸長することを抑制し、隙間のスペース不足を緩和し、内外部１２に伸長した雑草６が防草シート１を剥がして外部に伸長することを防止する。
【００４３】
いずれにせよ、完璧な接着は不可能であるし、施工コストも高くなる。そこで、接着不備があることを前提に、発芽した雑草６の伸長方向を転換させ、防草シート１の外に出させず、光合成を不可能にし、雑草６を黄化させ、モヤシ化させ、貯蔵養分を枯渇させ枯死に到らせる方法である。
【００４４】
密着させ二重、三重にしたシートは押し上げられて広がっているが、枯死した雑草の腐植によりほぼ元の状態に復元する。
【００４５】
次に、請求項２に記載の発明に係る方法の最良の形態２について説明する。図２２は、最良の形態１に基づいて敷設された状態であるが、この地が雑草６が繁茂している状況であり、草刈後に敷設する場合や、宿根草が繁茂している場合などでは、防草シート１を押し上げる力が大きくなり、その力は接着面に加わり、防草シート１を剥がそうとする。接着もれや、接着不備の部分で防草シート１が剥がれ、そこから雑草６が外部に伸長する可能性もある。
【００４６】
そこで、図２３のように、防草シート１を弛ませて敷設することにより、雑草６が伸長するスペースを大きくし、防草シート１を押し上げる力を減少させる方法である。
【００４７】
同様に、図２４のように、防草シート１を折り返すことにより、折り返した分だけ
図２５のように雑草６が伸長するスペースが大きくなるため、防草シート１を押し上げる力を減少させることができる。
【００４８】
次に、請求項３に記載の発明に係る方法の最良の形態３について説明する。図２６は止めピン１３による通常の固定の方法である。防草シート1aと防草シート1bを一部重ね、止めピン１３で固定しているが、この作業によって生じる傷口を通って雑草が外部に伸長したり、止めピン１３に溜まった砂埃１４で発芽した雑草が、この傷口を通って根をおろすため、図２７のように止めピン１３をシールなどを接着して被覆している。しかしこの方法では接着もれや、接着不備の部分から雑草が外部に伸長している例が多い。
【００４９】
一方、図２８は請求項３に記載の発明による、固定の方法である。止めピン１３は、その頂部が防草シート1aによって覆われるため、傷口が外部に露出せず、雑草が外部に伸長することもなく、また、砂埃が溜まることもないため、降雨後に運良く発芽した雑草もすぐに枯死する。
【００５０】
同様に、図２９は、防草シート１を密着させて折り返した状況であり、図３０、３はこの折り返し部分で固定する場合を示している。
【００５１】
図３０では、止めピン１３は、防草シート１で覆われる。図３１は、通常防草シート１で覆われるが、雑草６によって押し上げられた場合、露出する場合があり、覆う効果が一時的に減少する。しかし枯死した雑草の腐植により、雑草の堆積が減少し、防草シートの形状が復元するため、覆う効果は回復する。
【００５２】
二重もしくは三重にする箇所以外で固定する場合は、例えば図３２のような筒状補助シート１６を、あらかじめ防草シート１に接着し、筒状補助シート１６を固定すれば、固定部位は防草シート１によって覆われる。
【００５３】
次に、請求項４に記載の発明に係る方法の最良の形態４について説明する。図３３は厚い防草シート1aと防草シート1bを、接続補助シート１７を接着した状態である。その接点は極僅かな隙間、あるいは、隙間がない状態であるため、図３４は便宜上、隙間を広げて示した概念図である。防草シート1aの裏面を接続補助シート１７の外表２に接着し、防草シート1bの表面を接続補助シート１７の内表に接着してある
【００５４】
図３５では防草シート1aと防草シート1bが２層構造となっており、その裏面のみ接着が可能な場合の方法を示した。
【００５５】
なを、本発明は上述した実施の形態に限定されるわけでなく、その他種々の変更が可能である。
【図面の簡単な説明】
【００５６】
【図１】シートを内側に折り曲げ、密着させて二重にした状況図である。
【図２】図１の概念図である。
【図３】通常のシートの接続を示した状況図である。
【図４】図３の概念図である。
【図５】シートを内側に折り曲げ、密着させて二重にし、接続した状況図である。
【図６】図５の概念図である。
【図７】図６の概念図における雑草の伸長方向を示す概念図である。
【図８】シートの縁石への通常の固定方法を示した状況図である。
【図９】図８の概念図である。
【図１０】シートを内側に折り曲げ、密着させて二重にし、縁石に固定した状況図である。
【図１１】図１０の概念図である。
【図１２】地面から構造物が建ち上がっている部分に、通常の方法でシートを敷設した状況図である。
【図１３】シートを押し上げながら伸長し、構造物に突き当たり外部に伸長する図１２の概念図である。
【図１４】シート下の地中を伸長し、構造物に突き当たり外部に伸長する図１２の概念図である。
【図１５】地面から構造物が建ち上がっている部分に、シートを内側に折り曲げ、密着させて二重にし敷設した状況図である。
【図１６】雑草の伸長方向を示す、図１５の概念図である。
【図１７】コンクリート構造物とコンクリート構造物間の隙間を被覆した状況図である。
【図１８】図１７の概念図である。
【図１９】シートの両端を内側に折り曲げ、密着させて二重にし、コンクリート構造物とコンクリート構造物間の隙間を被覆した状況図である。
【図２０】図１９の概念図である。
【図２１】コンクリート構造物とコンクリート構造物間の隙間を隙間防草シートで被覆した図２０の改良図である。
【図２２】実施の形態１による防草シートの敷設状況図である。
【図２３】実施の形態２による防草シートを弛ませた敷設状況図である。
【図２４】実施の形態２による防草シートを折り返し密着させ三重にした敷設状況            図である。
【図２５】雑草により三重にしたシートが押し上げられた図２４の変化図である。
【図２６】通常の方法によりシートを接続、固定した状況図である。
【図２７】通常の方法によりシートを接続、固定し、固定部位を被覆した状況図である。
【図２８】二重にし、シートによって固定部位を覆っている状況図である。
【図２９】折り重ね三重にして敷設した状況図である。
【図３０】折り重ね三重にし、シートによって固定部位を覆っている状況図である。
【図３１】折り重ね三重にし、シートによって固定部位を覆っている状況図である。
【図３２】筒状補助シートを、防草シートに接着した状況図である。
【図３３】厚い防草シートを、接続補助シートで接着した状況図である。
【図３４】図３３の概念図である。
【図３５】防草シートの裏面を接続補助シートで接着した状況図である。
【符号の説明】
【００５７】
１  防草シート
１a   防草シートＡ
１b   防草シートＢ
２  外表
３  外裏
４  内裏
５  内表
６  雑草
７  縁石
８  構造物
８a コンクリート構造物Ａ
８b  コンクリート構造物Ｂ
９  地面
１０  隙間
１１  隙間防草シート
１２  内外部
１３  止めピン
１４  砂埃
１５  シール
１６  筒状補助シート
１７  接続補助シート
【図１】
2009024348.tif 000003
【図２】
2009024348.tif 000004
【図３】
2009024348.tif 000005
【図４】
2009024348.tif 000006
【図５】
2009024348.tif 000007
【図６】
2009024348.tif 000008
【図７】
2009024348.tif 000009
【図８】
2009024348.tif 000010
【図９】
2009024348.tif 000011
【図１０】
2009024348.tif 000012
【図１１】
2009024348.tif 000013
【図１２】
2009024348.tif 000014
【図１３】
2009024348.tif 000015
【図１４】
2009024348.tif 000016
【図１５】
2009024348.tif 000017
【図１６】
2009024348.tif 000018
【図１７】
2009024348.tif 000019
【図１８】
2009024348.tif 000020
【図１９】
2009024348.tif 000021
【図２０】
2009024348.tif 000022
【図２１】
2009024348.tif 000023
【図２２】
2009024348.tif 000024
【図２３】
2009024348.tif 000025
【図２４】
2009024348.tif 000026
【図２５】
2009024348.tif 000027
【図２６】
2009024348.tif 000028
【図２７】
2009024348.tif 000029
【図２８】
2009024348.tif 000030
【図２９】
2009024348.tif 000031
【図３０】
2009024348.tif 000032
【図３１】
2009024348.tif 000033
【図３２】
2009024348.tif 000034
【図３３】
2009024348.tif 000035
【図３４】
2009024348.tif 000036
【図３５】
2009024348.tif 000037